【手続補正書】
【提出日】平成20年3月26日(2008.3.26)
【手続補正１】
【補正対象書類名】明細書
【補正対象項目名】発明の名称
【補正方法】変更
【補正の内容】
【発明の名称】撮像装置及びその制御方法
【手続補正２】
【補正対象書類名】明細書
【補正対象項目名】特許請求の範囲
【補正方法】変更
【補正の内容】
【特許請求の範囲】
【請求項１】
被写体を撮像する撮像手段と、該撮像手段で撮像して得られた画像データに所定のデータを埋め込む埋め込み手段とを備える撮像装置であって、
前記撮像手段で撮像する際の画質を設定する複数の撮影モードと、前記埋め込み手段が用いる耐改竄性が互いに異なる複数の埋め込みモードにおいて、前記画質が高い撮影モードほど前記耐改竄性が低くなる埋め込みモードとが対応するように、各撮影モードと各埋め込みモードとの対応関係を記憶する記憶手段と、
前記撮像手段による撮像するための前記複数の撮影モードの中の１つを選択する選択手段と、
該選択手段による選択された撮影モードに対応する埋め込みモードを、前記記憶手段を参照して決定する決定手段と、
前記選択手段で選択された撮影モードに従って前記撮像手段による撮像を行ない、当該撮像によって得られた画像データに、前記決定手段で決定した埋め込みモードを用いて前記埋め込み手段による前記所定のデータの埋め込みを行なわせる制御手段と
を備えることを特徴とする撮像装置。
【請求項２】
被写体を撮像する撮像手段と、該撮像手段で撮像して得られた画像データに所定のデータを埋め込む埋め込み手段とを備える撮像装置であって、
前記撮像手段で撮像する際の画質を設定する複数の撮影モードと、前記埋め込み手段が用いる耐改竄性が互いに異なる複数の埋め込みモードにおいて、前記画質が高い撮影モードほど前記耐改竄性が低くなる埋め込みモードとが対応するように、各撮影モードと各埋め込みモードとの対応関係を記憶する記憶手段と、
前記耐改竄性を決定するため、前記複数の埋め込みモードの中の１つを選択する選択手段と、
該選択手段による選択された埋め込みモードに対応する撮影モードを、前記記憶手段を参照して決定する決定手段と、
前記決定手段で決定した撮影モードに従って前記撮像手段による撮像を行ない、当該撮像によって得られた画像データに、前記選択手段で選択した埋め込みモードを用いて前記埋め込み手段による前記所定のデータの埋め込みを行なわせる制御手段と
を備えることを特徴とする撮像装置。
【請求項３】
前記複数の撮影モードのそれぞれには、前記画質に加えて、前記撮像手段の露光時間と開口度に関する値、受光の量に対する感度に関する値が設定されることを特徴とする請求項１又は２に記載の撮像装置。
【請求項４】
前記複数の埋め込みモードには、耐改善性に加え、不可視の埋め込み、可視の埋め込みの種別が設定されることを特徴とする請求項１又は２に記載の撮像装置。
【請求項５】
撮像手段を有する撮像装置であって、
前記撮像手段で撮像する際の画質を設定する複数の撮影モードの中から１つを選択する選択手段と、
画像中に、電子透かしとして情報を埋め込む埋め込み手段と、
前記選択手段で選択された撮影モードの画質が、予め設定された画質よりも低いか否かに従って、前記埋め込み手段による埋め込み処理を実行するか否かを決定する決定手段と、
前記決定手段で、前記埋め込み処理を実行すると決定した場合には、前記撮像手段で撮像して得られた画像データに前記情報を埋め込むため、前記埋め込み手段をアクティブにし、前記埋め込み処理を実行しないと決定した場合には、前記埋め込み手段を非アクティブにする制御手段とを備え、
前記埋め込み手段は、可視の電子透かしとして画像中に情報を埋め込む第１の埋め込み手段と、画質優先で不可視の電子透かしとして画像中に情報を埋め込む第２の埋め込み手段と、耐改竄優先で不可視の電子透かしとして画像中に情報を埋め込む第３の埋め込み手段とを含み、
前記決定手段は、前記埋め込み処理を実行すると決定した場合、前記第１乃至第３の埋め込み手段のいずれか１つをアクティブにする
ことを特徴とする撮像装置。
【請求項６】
被写体を撮像する撮像手段と、該撮像手段で撮像して得られた画像データに所定のデータを埋め込む埋め込み手段と、前記撮像手段で撮像する際の画質を設定する複数の撮影モードと、前記埋め込み手段が用いる耐改竄性が互いに異なる複数の埋め込みモードにおいて、前記画質が高い撮影モードほど前記耐改竄性が低くなる埋め込みモードとが対応するように、各撮影モードと各埋め込みモードとの対応関係を記憶する記憶手段とを備える撮像装置の制御方法であって、
前記撮像手段による撮像するための前記複数の撮影モードの中の１つを選択する選択工程と、
該選択工程による選択された撮影モードに対応する埋め込みモードを、前記記憶手段を参照して決定する決定工程と、
前記選択工程で選択された撮影モードに従って前記撮像手段による撮像を行ない、当該撮像によって得られた画像データに、前記決定工程で決定した埋め込みモードを用いて前記埋め込み手段による前記所定のデータの埋め込みを行なわせる制御工程と
を備えることを特徴とする撮像装置の制御方法。
【請求項７】
被写体を撮像する撮像手段と、該撮像手段で撮像して得られた画像データに所定のデータを埋め込む埋め込み手段と、前記撮像手段で撮像する際の画質を設定する複数の撮影モードと、前記埋め込み手段が用いる耐改竄性が互いに異なる複数の埋め込みモードにおいて、前記画質が高い撮影モードほど前記耐改竄性が低くなる埋め込みモードとが対応するように、各撮影モードと各埋め込みモードとの対応関係を記憶する記憶手段とを備える撮像装置の制御方法であって、
前記耐改竄性を決定するため、前記複数の埋め込みモードの中の１つを選択する選択工程と、
該選択工程による選択された埋め込みモードに対応する撮影モードを、前記記憶手段を参照して決定する決定工程と、
前記決定工程で決定した撮影モードに従って前記撮像手段による撮像を行ない、当該撮像によって得られた画像データに、前記選択工程で選択した埋め込みモードを用いて前記埋め込み手段による前記所定のデータの埋め込みを行なわせる制御工程と
を備えることを特徴とする撮像装置の制御方法。
【請求項８】
撮像手段と、当該撮像手段で撮像して得られた画像中に、電子透かしとして情報を埋め込む埋め込み手段とを備える撮像装置の制御方法であって、
前記撮像手段で撮像する際の画質を設定する複数の撮影モードの中から１つを選択する選択工程と、
前記選択工程で選択された撮影モードの画質が、予め設定された画質よりも低いか否かに従って、前記埋め込み手段による埋め込み処理を実行するか否かを決定する決定工程と、
前記決定工程で、前記埋め込み処理を実行すると決定した場合には、前記撮像手段で撮像して得られた画像データに前記情報を埋め込むため、前記埋め込み手段をアクティブにし、前記埋め込み処理を実行しないと決定した場合には、前記埋め込み手段を非アクティブにする制御手段とを備え、
前記埋め込み手段は、可視の電子透かしとして画像中に情報を埋め込む第１の埋め込み手段と、画質優先で不可視の電子透かしとして画像中に情報を埋め込む第２の埋め込み手段と、耐改竄優先で不可視の電子透かしとして画像中に情報を埋め込む第３の埋め込み手段とを含み、
前記決定工程は、前記埋め込み処理を実行すると決定した場合、前記第１乃至第３の埋め込み手段のいずれか１つをアクティブにする
ことを特徴とする撮像装置の制御方法。
【請求項９】
コンピュータに、請求項６乃至８のいずれか１項に記載の方法の手順を実行させるプログラムを格納したことを特徴とする、コンピュータにより読取り可能な記憶媒体。
【手続補正３】
【補正対象書類名】明細書
【補正対象項目名】０００１
【補正方法】変更
【補正の内容】
【０００１】
【発明の属する技術分野】
本発明は、画像を撮像して記録する撮像装置、特にデジタルカメラ等の撮像した画像に所定データを埋め込むことが可能な撮像装置及びその制御方法に関するものである。
【手続補正４】
【補正対象書類名】明細書
【補正対象項目名】００２０
【補正方法】変更
【補正の内容】
【００２０】
本発明は、上述の課題に鑑みてなされたもので、その目的とするところは、撮像モードを変更した場合に、埋め込みモードおよびデータが撮影モードに合わせて自動的に設定され、あるいは、その逆の、埋め込みモードおよびデータを変更した場合に、それに合わせて撮影モードが自動的に設定される撮像装置及びその制御方法を提供しようとするものである。
【手続補正５】
【補正対象書類名】明細書
【補正対象項目名】００２１
【補正方法】変更
【補正の内容】
【００２１】
【課題を解決するための手段】
上記課題を解決するために、本発明は、以下の構成を備える。すなわち、
被写体を撮像する撮像手段と、該撮像手段で撮像して得られた画像データに所定のデータを埋め込む埋め込み手段とを備える撮像装置であって、
前記撮像手段で撮像する際の画質を設定する複数の撮影モードと、前記埋め込み手段が用いる耐改竄性が互いに異なる複数の埋め込みモードにおいて、前記画質が高い撮影モードほど前記耐改竄性が低くなる埋め込みモードとが対応するように、各撮影モードと各埋め込みモードとの対応関係を記憶する記憶手段と、
前記撮像手段による撮像するための前記複数の撮影モードの中の１つを選択する選択手段と、
該選択手段による選択された撮影モードに対応する埋め込みモードを、前記記憶手段を参照して決定する決定手段と、
前記選択手段で選択された撮影モードに従って前記撮像手段による撮像を行ない、当該撮像によって得られた画像データに、前記決定手段で決定した埋め込みモードを用いて前記埋め込み手段による前記所定のデータの埋め込みを行なわせる制御手段とを備える。